(57)【要約】【解決手段】  本発明は、デジタル医療体温計（１）と該体温計（１）をリセットするための装置（２）とを備えるシステムに関する。該体温計（１）は、少なくとも２つの作動モード、即ち第１の作動モードと第２の非作動モードとを有する。更に、該体温計は、リセット信号を受信するように構成された受信ユニット（６）と、電子制御ユニットと、を備える。この制御ユニットは、体温計（１）を体温測定の後に第２の非作動モードに設定するための手段と、リセット信号を同定するための手段と、信号が所定の基準を満たすとき体温計（１）を第１の作動モードにリセットするための手段と、を有する。体温計（１）を作動モードにリセットするための装置（２）は、信号を体温計（１）に送るための送信器（７）を有する。体温計（１）の受信ユニット（６）は送信器（７）の信号を受信するように構成される。【選択図】        図１
2007514137.tif 000002
【特許請求の範囲】
【請求項１】
患者の体温を測定するためのデジタル医療体温計（１）であって、
前記体温計（１）は、少なくとも２つの作動モード、即ち第１の作動モードと第２の非作動モードとを有すると共に、更に、
リセット信号を受信するように構成された受信ユニット（６）と、
前記体温計（１）を体温測定の後に前記第２の非作動モードに設定するための手段と、前記リセット信号を同定するための手段と、前記信号が所定の基準を満たすとき前記体温計（１）を前記第１の作動モードにリセットするための手段と、を有する電子制御ユニットと、
を備える、医療体温計。
【請求項２】
前記非作動モードの間に、直前の測定の温度値が少なくとも一定の時間に亘ってディスプレイ（４）上に凍結されることを特徴とする、請求項１に記載の医療体温計。
【請求項３】
前記受信ユニット（６）は無線信号受信器又は光学信号受信器であることを特徴とする、請求項１に記載の医療体温計。
【請求項４】
送信器（７）を有する装置（２）であって、
前記送信器（７）によって、医療体温計（１）により受信されるように構成された特定信号を送信し、これによって該体温計（１）を第２の非作動モードから第１の作動モードにリセットするため使用される、装置（２）。
【請求項５】
前記送信器（７）は、無線信号送信器又は光学信号送信器であることを特徴とする、請求項４に記載の装置。
【請求項６】
消毒装置が連係されることを特徴とする、請求項４に記載の装置。
【請求項７】
前記消毒装置は、医療体温計のための消毒槽（８）であることを特徴とする、請求項６４に記載の装置。
【請求項８】
デジタル医療体温計（１）と、該体温計（１）をリセットするための装置（２）と、を備えるシステムであって、
前記体温計（１）は、少なくとも２つの作動モード、即ち第１の作動モードと第２の非作動モードとを有すると共に、更に、
リセット信号を受信するように構成された受信ユニット（６）と、
前記体温計（１）を体温測定の後に前記第２の非作動モードに設定するための手段と、前記リセット信号を同定するための手段と、前記信号が所定の基準を満たすとき前記体温計（１）を前記第１の作動モードにリセットするための手段と、を有する電子制御ユニットと、
を備え、
前記体温計（１）を前記作動モードにリセットするための装置（２）は前記体温計（１）に信号を送るための送信器（７）を備え、前記体温計（１）の受信ユニット（６）は前記送信器（７）の信号を受信するように構成されている、システム。
【請求項９】
前記信号は、無線信号であり、前記受信ユニット（６）は無線信号受信器であるか、又は、前記信号は、光学信号であり、前記受信ユニット（６）は光学受信器であることを特徴とする、請求項８に記載のシステム。
【請求項１０】
前記体温計（１）をリセットするための前記装置（２）は、前記体温計（１）を消毒するために使用されるように構成された消毒装置に連係されることを特徴とする、請求項８に記載のシステム。
【請求項１１】
前記消毒装置は、前記体温計（１）のための消毒槽（８）であることを特徴とする、請求項１０に記載のシステム。
【請求項１２】
受信ユニット（６）及び電子制御ユニットを有するデジタル医療体温計（１）を、非作動モードから作動モードにリセットするための方法であって、
前記体温計（１）は、実行された測定の後に前記電子制御ユニットにより非作動モードにブロックされており、
前記方法は、
リセット装置（２）からリセット信号を前記体温計（１）に送り、
前記信号を前記受信ユニット（６）で受信し、
前記信号を前記電子制御装置で同定し、
前記信号が所定の基準を満たすとき前記電子制御ユニットにより前記体温計（１）を作動モードにリセットする、各工程を備えることを特徴とする、方法。
【請求項１３】
前記体温計（１）が前記リセット装置（２）に連係される消毒装置によりリセットされる前又はリセットされている間に消毒された場合にのみ、前記信号が送信されることを特徴とする、請求項１２に記載の方法。
【請求項１４】
前記体温計（１）は、前記リセット装置に連係される消毒槽（８）内に置かれることを特徴とする、請求項１３に記載の方法。
【発明の詳細な説明】
【技術分野】
【０００１】
本発明は、２つの作動状態を有する医療体温計、体温計をこれらのモードのうち一つにリセットするため使用される装置、体温計及びリセット装置を備えるシステム、並びに、独立特許請求項に従って前記体温計をリセットするための方法に関する。
【背景技術】
【０００２】
多くの理由のため、患者の体温を知ることは重要である。かくして、特に病院又は手術室では、医療体温計を使用することは、不可欠となっている。患者の間の汚染のリスクを最小にすることは、非常に重要であるので、特に、多くの異なる深刻な病気が至るところで見られる場所では、医療体温計は、あらゆる測定に対して新しいプローブカバーを用いて使用されるべきであるか又は各使用後に消毒するべきである。当該技術の状態では、あらゆるユーザーは、体温計を消毒することに自身で責任を持っている。しかし、多くのユーザーが存在する場合には特に、調査を維持し、各体温計の清潔さを承諾することは困難となる。
【０００３】
更には、今までは、多くの病院が、盗難のおそれの故に従来の水銀体温計に拘泥している。しかし、特に多数の患者にとって、より迅速なデジタル体温計を使用することは遙かに効率的である。それらのデジタル体温計はより高価であるので、体温計の効率的な盗難防止装置は有利となる。
【発明の開示】
【発明が解決しようとする課題】
【０００４】
本発明の目的は、上記欠点を克服すること、特に殺菌が実行されたことをユーザーに保証することを可能にすると同時に盗みのリスクを減少させる簡単ではあるが効率的なシステムを提供することである。
【課題を解決するための手段】
【０００５】
本発明によれば、上記目的は、２つの作動モードを有するデジタル医療体温計、リセット装置、２つの作動モードとリセット装置とを有するデジタル医療体温計を備えるシステム、独立特許請求項に係る体温計をリセットするための方法を用いて達成される。
【０００６】
本発明に係る体温計は、２つの作動モード、即ち第１の作動モードと第２の非作動モードで作動するように設計される。作動モードの間では、体温測定を完成することが可能となり、非作動モードの間では、体温計はブロックされて体温測定をすることができなくなる。非作動モードの間には、直前の測定のデータが、体温計の内部メモリに保存されている限り、なおもアクセス可能であると考えられる。
【０００７】
体温計は、所定数の体温測定の後、例えば各測定後又は一定数の測定後に体温計を非作動モードに設定しようとする電子制御ユニットを備える。
体温計は、先端部に設けられた温度センサと、体温測定の体温値を読み取ることができるディスプレイユニットを備えたハウジングとを有するように設計することができる。ディスプレイをオンオフするためのオンオフボタンも同様に埋め込むことができる。先端部に温度センサを有する体温計の代わりに、他の体温計、例えば、赤外線に基づいた体温計も同様に考えられる。体温計は、一定期間の間に又は次の体温測定値が格納されるまで少なくとも１回の測定のデータを保存するためのメモリを備えていてもよい。
【０００８】
更には、体温計は、入ってくるリセット信号を受信するように構成された受信ユニットを備える。この信号は、任意種類の信号、例えば無線信号、光学信号、音響信号、電気若しくは磁気的インパルス、又は、機械的振動であってもよく、機械的なキーのパターンでさえも信号として機能し得る。任意種類の入力装置が受信ユニットとみなされ、従来の無線信号の受信器の他に、機械的若しくは電気的キーのためのロック、所定のパターンで押下されるボタンさえも、本発明に係る受信ユニットとして動作することができる。
【０００９】
電子制御ユニットは、信号を分析し同定するように設計されるのが好ましい。信号が一定の所定のパターン又は基準に対応した場合、制御ユニットは、体温計を再び作動モードに設定する。このパターン又は基準は、信号の存在によって、又は、信号の特徴値、例えば信号の波長若しくは周波数、結局のところ、当該信号の振幅、持続時間若しくは強度との組み合わせによって、単に特徴付けることができる。しかし、信号は、より複雑な信号、好ましくは、再現するのが困難である波長若しくは周波数依存パターンで符号化されることも可能である。このようにして、体温計は、この特定の、所定の仕方で符号化された、一定源からきた信号を用いてのみ作動モードにリセットすることができる。
【００１０】
好ましい実施例では、体温計は、各体温測定後に非作動モードへと自動的に設定される。しかし、一定数の測定の後にのみ非作動モードを開始することも考えられる。本発明の要旨において、所定の温度値（例えば、３２℃）が達成されたとき測定が画定される。
【００１１】
非作動モードの間、直前の測定の温度値は、少なくとも一定時間に亘ってディスプレイ上に凍結することができる。この実施態様の利点として、直前の温度値を容易に読み取ることができることが挙げられる。
【００１２】
体温計を作動モードにリセットするため、信号を体温計に送るための送信器を備えている、その使用が不可欠の装置が提供される。体温計の受信器に応じて、この信号は、前述したように任意の種類とすることができる。本発明に係る送信器は、非常に一般的な仕方で理解されなければならない。従来の無線若しくは光学信号の送信器の他に、機械的若しくは電気的キー或いは機械的振動器でさえも、送信器として動作することができる。この送信器のリストは、例示として挙げられており、これらに限定するものとみなすべきではない。
【００１３】
送信器により送られる信号は、持続的に働かせることができ、又は、手動でオンに切り替えることができる。しかし、例えば、当該信号が送信器と受信器との間の直接接触により作動される電気信号である場合等には、受信器が、信号の発生を促すことも考えられる。
【００１４】
好ましい実施例では、体温計をリセットするための装置が、体温計を消毒するように構成された消毒装置に連係される。例えば、この消毒装置は、消毒槽、消毒スプレー又は紫外線灯の任意のものであってもよい。
【００１５】
本発明に係るシステムは、上述したような医療体温計と、該体温計を非作動モードから作動モードへとリセットするための装置とを備える。このシステムは、受信器が電子制御ユニットにより同定することができる信号を得る場合にしか体温計を作動モードへとリセットすることができないので、当該体温計を盗難から保護する単純な仕方を提供している。権限を与えられていない人にとって、本体温計は何の役にもたたない。彼若しくは彼女は本体温計を作動モードへとリセットすることができないからである。リセット装置は公には開放されておらず、体温計のユーザー、例えば病院スタッフのみに開放されているので、体温計が盗まれることはありそうもない。
【００１６】
本体温計の受信ユニットは、送信器の信号を受信するように構成されなければならない。例えば、送信器が無線送信器である場合、受信器は、無線信号受信器でなければならず、信号が何らかの仕方で符号化される場合には、受信器は、符号化信号を検出するのに十分な感度を持っていなければならない。
【００１７】
好ましい実施例では、リセット装置は、消毒装置、例えば消毒槽若しくはスプレー、又は、紫外線灯に連係されている。かくして、予防措置を簡単な仕方で改善することができる。好ましくは、体温計は、消毒された後又は消毒の間にのみ、リセットすることができる。最も好ましい実施例では、異なる患者間の汚染から最大限の保護を確実にするため各体温測定の後に体温計は消毒されなければならない。このことは、例えば送信器が無線送信器である場合に、体温計が送信器に近接した位置に運ばれることを必要とするように、送信器が制限されたパワーを有するならば、実現可能となる。送信器の近傍に消毒装置を配置することによって、体温計は、該体温計を送信器の近傍にもってくることにより自動的に消毒される。
【００１８】
上述されたようなデジタル医療体温計を、非作動モードから作動モードにリセットするための方法は、リセット装置からリセット信号を体温計に送り、当該信号を受信ユニットで受信し、当該信号を電子制御装置で同定し、当該信号に応じて電子制御ユニットにより体温計を作動モードにリセットする、各工程を備えることを特徴とする。
【００１９】
上述した二重モードの体温計は、標準的な体温計において集積回路上で実現することができる。かくして、この二重モード作動を、工場でのセッティングにより活性化させることが可能である。所定の体温計が家庭で使用されるか又は公的機関、例えば病院で使用されるかに応じて、二重モードの動作が不活性化されるか又は活性化されてもよい。同じ集積回路を、両方の種類の体温計のために使用することができる。
【００２０】
体温計に割り当てられたリセット装置を使用することによってのみリセット工程を実行することができることが本方法の利点である。一方では、この方法は、リセット装置が公的に開放されるべきでないので、盗難防止として機能する。
【００２１】
他方では、本方法によれば、リセット装置が消毒装置、例えば消毒槽若しくは消毒スプレー又は紫外線灯に連係される場合に、予防措置を簡単な仕方で改善することができる。体温計の清潔さを保証するため、送信器からの信号は、体温計が使用前に消毒された場合にのみ送ることができる。一例として、信号は、消毒槽の底部又は紫外線灯の下方に配置されたセンサにより活性化することができる。このセンサは、体温計の先端部が該センサに到達して該体温計が消毒溶液内にあるか又は同じセンサで点灯することができる紫外線灯の下方にあることが明らかである場合に動作される。
【００２２】
本発明は、特に、医療体温計に適したものであるが、盗難又は衛生の観点で懸念事項がある他の医療測定装置又は非医療測定装置にとって有用であり得る。
以下、本発明を添付図面を参照してより詳細に説明する。
【実施例】
【００２３】
図１には、本発明に係る、医療体温計１及びリセット装置２が、概略的に表されている。体温計は、先端部３に設けられた温度センサー（図示せず）と、温度値を表示するためのディスプレイ４と、従来のオンオフボタン５と、受信ユニット６とを備える。オンオフボタン５は、エネルギーを節約するため体温計及びディスプレイをオフにするように機能する。このオフ状態は、体温計の非作動モードと混乱されるべきではない。オンオフボタン５を押すことは、体温計のモード（作動モード又は非作動モード）を変更せず、このモード変更は、体温計の内部の電子制御ユニット（図示せず）によってのみ実行され得る。
【００２４】
リセット装置２は、送信器７を備えているが、送信器のための作動ボタンとしての他の特徴は、この図には示されていない。送信器としては、例えば１３．５６ＭＨｚの周波数で、放出する単一の高い周波数送信器を使用することができる。典型的には、信号を連続的に発信する送信器は比較的小さいパワーで使用することができる。パワーは、例えば、送信器から例えば２０ｃｍより短い距離離れてのみ受信することができるように選択することができる。送信器は、約２０×３０ｃｍのサイズを持つアンテナとして作動する金属パッドを備えることができる。
【００２５】
図２は、体温計の内部の電子制御ユニットの概略表現である。体温計の電子制御ユニットは、マイクロプロセッサ１１を備える。マイクロプロセッサは。電子体温計のため使用される通常のマイクロプロセッサとして設計されている。マイクロプロセッサは、第１の作動モードに体温計をリセットするための入力ピン１５を有する。典型的には、体温計は、一定電圧がこの入力ピン１５に印加されるとき作動モードへとリセットすることができる。
制御ユニットは、図２に示されるように、コイル１２等のインダクタンス手段と、抵抗器１３と、ツェナーダイオードと、からなる回路により形成することができる。インダクタンス手段は、例えば１３．５６ＭＨｚの高い周波数が電流を形成し、かくして入力ピン１５に送信される信号を形成するように設計される。抵抗器は、特定の電圧及びマイクロプロセッサ１１の設計に応じて、必要となり得る。ツェナーダイオードは、電圧を制限するため必要となり得る。特に、所定の閾値を超える電流がインダクタンス手段により形成される場合にのみ入力ピン１５に明確な信号を提供する上で有用となり得る。インダクタンス手段１２は、通常のコイルとして実現することができる。それは、集積回路内に集積されてもよい。同じことが抵抗器１３及びダイオード１４にも当てはまる。
【００２６】
図３では、リセット装置２の好ましい実施例が前面図で表されている。装置２は、消毒溶液９を収容する消毒槽８に連係される。送信器７は、体温計がリセットされるため消毒溶液内に浸漬されなければならないように槽８の下方に配置されている。
【００２７】
図４ａでは、体温計は、体温測定を実行するため使用され、この測定後に、非作動モードに自動的に切り替えられる。作動モードにリセットするため、体温計は、図４ｂに示されるように消毒溶液内に浸漬されなければならない。体温計の先端部がボタンに到達するとき、送信器は、信号を送り、体温計は再び作動モードにリセットされる。ボタン１０の代わりに、槽をアンテナに似たパッド又はプレート上に配置することも可能である。体温計内の受信器と消毒槽の下方にある送信器との間が近接しているが故にのみ、体温計は、それが槽内に配置されたならば、及び、配置された場合にのみ、リセットされる。
【図面の簡単な説明】
【００２８】
【図１】図１は、受信ユニットを備えたデジタル医療体温計及び送信器を備えたリセット装置の概略表現である。
【図２】図２は、体温計の内部の電子制御ユニットの概略表現である。
【図３】図３は、消毒槽に連係されたリセット装置の前面図の概略表現である。
【図４ａ】図４ａは、消毒され、リセット装置によりリセットされる前の体温計の概略表現である。
【図４ｂ】図４ｂは、消毒され、リセット装置によりリセットされたときの体温計の概略表現である。
【図１】
2007514137.tif 000003
【図２】
2007514137.tif 000004
【図３】
2007514137.tif 000005
【図４ａ】
2007514137.tif 000006
【図４ｂ】
2007514137.tif 000007
【国際調査報告】
2007514137.tif 000008
2007514137.tif 000009